(57)【要約】【課題】車両の走行中の変速時における車速の低下を構造簡単で安価な装置により防止するようにして、変速時に運転者が違和感を感じないようにした動力伝達構造を提供する。【解決手段】エンジン１のクランクシャフト４とトランスミッション３のインプットシャフト６とを断続させるためにクラッチ機構２の入力側においてクランクシャフト４に取付けられたギヤ２１と、ギヤ２１から伝達された動力をトランスミッション３の走行用のギヤ群とは異なる経路で伝達するためのサブシャフト１８と、トランスミッション３のメインシャフト９とアウトプットシャフト２５とを断続させるためのクラッチ機構２６の出力側においてアウトプットシャフト２５に取付けられてサブシャフト１８からの動力をアウトプットシャフト２５に伝達するための可変速プーリ機構２９を設ける。【選択図】図１
2005053344.tif 000002
【特許請求の範囲】
【請求項１】
内燃機関の軸体と車両変速手段の軸体とを断続させるための断続手段の入力側において前記内燃機関の軸体からの動力を伝達し得るようにした動力伝達手段と、該動力伝達手段から伝達された動力を前記車両変速手段の走行用のギヤ群とは異なる経路で伝達するための所定の軸体と、前記車両変速手段の軸体と該軸体の出力側に配置された他の軸体とを断続させるための断続手段の出力側において前記所定の軸体からの動力を前記他の軸体に伝達するための可変速動力伝達手段とを設けたことを特徴とする動力伝達構造。
【請求項２】
可変速動力伝達手段は、前記他の軸体に外嵌されて作動径を変速段数に対応した速比となるよう調整し得るようにしたプーリを備え、該プーリと前記所定の軸体に取付けたプーリとに無端状のベルトを巻掛けた請求項１記載の動力伝達構造。
【請求項３】
前記ベルトに張力を付与し得るようにした張力付与手段を設けた請求項２記載の動力伝達構造。
【発明の詳細な説明】
【技術分野】
【０００１】
本発明は動力伝達構造に関する。
【背景技術】
【０００２】
車両は、走行するためにエンジン及びクラッチ並びにトランスミッションを備えている。而して、従来のエンジン及びクラッチ並びにトランスミッションにおける動力伝達構造の模式図の一例は図５に示され、図中、１はエンジン、２はクラッチ、３はトランスミッションである。
【０００３】
エンジン１のクランクシャフト４の先端側にはフライホイール５が外嵌、固定されており、トランスミッション３のインプットシャフト６の後端側には、クラッチカバー７を備えたクラッチディスク８が外嵌固定されている。而して、クラッチ機構２は、フライホイール５、クラッチカバー７、クラッチディスク８等により形成されている。
【０００４】
クラッチカバー７は図示されていないフェーシングが取付けられたクラッチプレートを介し、フライホイール５に対し断続されるようになっている。すなわち、クラッチペダルを踏んでいない場合には、クラッチカバー７とフライホイール５は接続されてエンジン１の動力はトランスミッション３に伝達され、クラッチペダルを踏み込んだ場合には、クラッチカバー７とフライホイール５は離脱されてエンジン１の動力はトランスミッション３に伝達されないようになっている。
【０００５】
インプットシャフト６の先端部には、アウトプットシャフトであるメインシャフト９の後端部が軸受１０を介して回転自在に支持されて両シャフト６，９は直列状に配置されている。メインシャフト９の先端部には、カップリング１１等を介してプロペラシャフト１２が接続されており、プロペラシャフト１２には、ディファレンシャルギヤ等を介してホイールが接続されている。
【０００６】
インプットシャフト６の先端側にはギヤ１３ａが一体的に設けられる共に、メインシャフト９には、複数のギヤ１３ｂ，１３ｃ，１３ｄ，１３ｅ，１３ｆがニードルベアリングを介して外嵌されている。
【０００７】
又、インプットシャフト６及びメインシャフト９と平行に配設したカウンタシャフト１４には、対応するギヤ１３ａ，１３ｂ，１３ｃ，１３ｄ，１３ｆと噛み合う複数のギヤ１５ａ，１５ｂ，１５ｃ，１５ｄ，１５ｆがスプライン結合されていると共に、中間シャフト１６に取付けられたアイドラギヤ１７ｅに噛み合うギヤ１５ｅがスプライン結合されている。アイドラギヤ１７ｅはギヤ１３ｅに噛み合うようになっている。而して、ギヤ１３ａ，１３ｂ，１３ｃ，１３ｄ，１３ｅ，１３ｆ及びギヤ１５ａ，１５ｂ，１５ｃ，１５ｄ，１５ｅ，１５ｆ並びにアイドラギヤ１７ｅによりギヤ群が形成されている。
【０００８】
メインシャフト９には、図示してないが、シフタスリーブが軸線方向へ摺動可能に外嵌された複数のハブがスプライン結合されており、シフトレバーを操作することにより、シフタスリーブが各ハブの軸線方向へ摺動して、何れかのギヤ１３ａ，１３ｂ，１３ｃ，１３ｄ，１３ｅ，１３ｆに対し連結されるようになっている。
【０００９】
而して、インプットシャフト６のギヤ１３ａがメインシャフト９のシフタスリーブと連結されると、エンジン１のクランクシャフト４からの動力は、クラッチ機構２からインプットシャフト６に伝達され、インプットシャフト６から直接メインシャフト９に伝達されるようになっている。
【００１０】
又、ギヤ１３ｂ，１３ｃ，１３ｄ，１３ｆがメインシャフト９のシフタスリーブと連結されると、エンジン１のクランクシャフト４からの動力は、クラッチ機構２からインプットシャフト６に伝達され、インプットシャフト６のギヤ１３ａからカウンタシャフト１４のギヤ１５ａに伝達され、カウンタシャフト１４のギヤ１５ｂ，１５ｃ，１５ｄ，１５ｆの何れかからメインシャフト９の対応するギヤ１３ｂ，１３ｃ，１３ｄ，１３ｆに伝達され、ギヤ１３ｂ，１３ｃ，１３ｄ，１３ｆの何れかからメインシャフト９に伝達されるようになっている。
【００１１】
更に、ギヤ１３ｅがメインシャフト９のシフタスリーブと連結されると、クランクシャフト４からカウンタシャフト１４に伝達された動力は、ギヤ１５ｅからアイドラギヤ１７ｅを介してギヤ１３ｅに伝達され、ギヤ１３ｅからメインシャフト９に伝達し得るようになっている。
【００１２】
メインシャフト９に伝達された動力は、カップリング１１、プロペラシャフト１２を介してホイールへ伝達され、車両は変速段数に対応して、所定の速度で前進或は後退し得るようになっている。
【００１３】
而して、図５の動力伝達構造の場合、例えば、トランスミッション３のギヤ１３ｆ，１５ｆは前進第１段用、ギヤ１３ｅ，アイドラギヤ１７ｅ，ギヤ１５ｅは後退用、ギヤ１３ｄ，１５ｄは前進第２段用、ギヤ１３ｃ，１５ｃは前進第３段用、ギヤ１３ｂ，１５ｂは前進第４段用、インプットシャフト６のギヤ１３ａとメインシャフト９のシフタスリーブに対する連結は前進第５段用であるが、トランスミッション３の変速段数やギヤ群の配置は図示の例以外に種々のものがある。
【００１４】
上記動力伝達構造においては、通常の車両走行時には、クラッチペダルが踏込まれていない場合は、クラッチ機構２のフライホイール５とクラッチカバー７とは連結されている。このため、エンジン１のクランクシャフト４からの動力は、クラッチ機構２からインプットシャフト６へ伝達され、シフトレバーの切換え位置、すなわち、変速段数に対応した各ギヤの選択に伴う動力伝達径路でメインシャフト９に伝達され、カップリング１１からプロペラシャフト１２を介してホイールに伝達される。その結果、車両はギヤの変速段数に対応した速度で前進走行する。
【００１５】
車両の前進走行中に１段階上或は下の速度に変速を行う場合には、クラッチペダルを踏込んで、シフトレバーを変速段数に対応した位置に切換える。このため、クラッチ機構２のフライホイール５とクラッチカバー７が離脱されると共に、メインシャフト９にスプライン結合された所定のハブのシフタスリーブが摺動して、当該シフタスリーブと所定のギヤ１３ａ，１３ｂ，１３ｃ，１３ｄ，１３ｆの何れかが連結状態となる。
【００１６】
このため、クラッチペダルの踏込みを徐々に解除すると、クラッチ機構２のフライホイール５とクラッチカバー７が徐々に連結され、エンジン１のクランクシャフト４からの動力は、クラッチ機構２、インプットシャフト６、ギヤ１３ａに伝達される。ギヤ１３ａに伝達された動力は、シフタスリーブから直接メインシャフト９に伝達されるか、或は、ギヤ１３ａからギヤ１５ａ、カウンタシャフト１４、ギヤ１５ｂ，１５ｃ，１５ｄ，１５ｆの何れか、対応するギヤ１３ｂ，１３ｃ，１３ｄ，１３ｆの何れか、ギヤ１３ｂ，１３ｃ，１３ｄ，１３ｆの何れかが連結されたシフタスリーブを経てメインシャフト９に伝達される。メインシャフト９に伝達された動力は、カップリング１１からプロペラシャフト１２に伝達されてホイールが駆動され、車両は前進走行する。
【００１７】
車両を後退させる場合には、一旦車両を停止させたうえ、クラッチペダルを踏込み、シフトレバーを後退に切換える。このため、クラッチ機構２のフライホイール５とクラッチカバー７が離脱されると共に、メインシャフト９にスプライン結合された所定のハブのシフタスリーブが摺動して、当該シフタスリーブとギヤ１３ｅが連結状態となる。
【００１８】
このため、クラッチペダルの踏込みを徐々に解除すると、クラッチ機構２のフライホイール５とクラッチカバー７が徐々に連結され、エンジン１のクランクシャフト４からの動力は、上述したようにしてカウンタシャフト１４に伝達され、カウンタシャフト１４から、ギヤ１５ｅ、アイドラギヤ１７ｅ、ギヤ１３ｅ、ギヤ１３ｅが連結されたシフタスリーブを経てメインシャフト９に伝達され、メインシャフト９に伝達された動力は、カップリング１１からプロペラシャフト１２に伝達されてホイールが駆動され、車両は後退走行する。
【００１９】
上記動力伝達構造においては、変速操作の度にエンジン１からの動力性能が低下するが、変速操作の度にエンジンからの動力性能が低下するのを防止するようにした動力伝達構造の先行技術文献情報としては、例えば、特許文献１がある。特許文献１の装置においては、内燃機関の始動は発進クラッチを接続し、トッグクラッチの係合により遊星ギア機構をロックしてモータとクランクシャフトを直結した状態で行われるが、そうした始動が不能なときは、発進クラッチを一旦切断した状態でモータにより変速機入力軸を回転させ、慣性エネルギをチャージした後に発進クラッチを再接続して、再び始動を行うようにしている。
【特許文献１】特開２００３−１４６１１４号公報
【発明の開示】
【発明が解決しようとする課題】
【００２０】
図５の動力伝達構造において、車両の走行中に変速を行う場合には、クラッチ機構２が離脱されるため、ホイールへの動力の伝達が中断し、一時的に車速が低下して車両が円滑に変速されないため、運転者は違和感を覚えるという問題がある。
【００２１】
又、特許文献１の装置では、駆動手段として内燃機関の他にモータが必要であるうえ、遊星ギア機構も必要となるため、装置構造が複雑となると共に装置が大型化し、コストアップを招来するという問題がある。
【００２２】
本発明は、上述の実情に鑑み、車両の走行中の変速時における車速の低下を構造簡単で安価な装置により防止するようにして、運転者が違和感を感じないようにした動力伝達構造を提供することを目的としてなしたものである。
【課題を解決するための手段】
【００２３】
本発明の請求項１の動力伝達構造は、内燃機関の軸体と車両変速手段の軸体とを断続させるための断続手段の入力側において前記内燃機関の軸体からの動力を伝達し得るようにした動力伝達手段と、該動力伝達手段から伝達された動力を前記車両変速手段の走行用のギヤ群とは異なる経路で伝達するための所定の軸体と、前記車両変速手段の軸体と該軸体の出力側に配置された他の軸体とを断続させるための断続手段の出力側において前記所定の軸体からの動力を前記他の軸体に伝達するための可変速動力伝達手段を設けたものである。
【００２４】
本発明の請求項２の動力伝達構造においては、可変速動力伝達手段は、前記他の軸体に外嵌されて作動径を変速段数に対応した速比となるよう調整し得るようにしたプーリを備え、該プーリと前記所定の軸体に取付けたプーリとに無端状のベルトを巻掛けたものであり、請求項３の動力伝達構造は、前記ベルトに張力を付与し得るようにした張力付与手段を設けたものである。
【００２５】
本発明によれば、車両の変速時には、内燃機関の動力は内燃機関の軸体、動力伝達手段、所定の軸体、可変速動力伝達手段を経て他の軸体に伝達され、他の軸体を経てホイールに伝達される。従って、変速時に車両が減速されることはない。
【発明の効果】
【００２６】
本発明の請求項１〜３記載の動力伝達構造によれば、車両走行中の変速時に車両が減速されることはないため、変速時に運転者が違和感を感じることなく快適に運転することができ、又、装置構造が簡単であるため小型化が可能で、コストが安価である。
【発明を実施するための最良の形態】
【００２７】
以下、本発明の実施の形態を添付図面を参照して説明する。
図１〜図４は本発明の実施の形態の一例で、図中、図５に示すものと同一のものには同一の符合が付してある。
本図示例においては、トランスミッション３のカウンタシャフト１４等と平行に回転可能なサブシャフト１８が配設されており、サブシャフト１８の軸線方向におけるクラッチ機構２側端部にはギヤ１９が外嵌、固定され、プロペラシャフト１２側端部には、プーリ２０が外嵌、固定されている。
【００２８】
クランクシャフト４のクラッチ機構２側端部近傍には、ギヤ２１が外嵌、固定されており、ギヤ２１とギヤ１９との間には、中間シャフト２２に外嵌、固定されてギヤ２１，１９と噛み合うアイドラギヤ２３が配設されている。
【００２９】
メインシャフト９のトランスミッションハウジング３ａ外部に突出した端部には、図２に示すように、軸受２４を介してアウトプットシャフト２５が回転自在に支持されて両シャフト９，２５は直列状に配置されており、アウトプットシャフト２５の先端部には、カップリング１１等を介してプロペラシャフト１２が接続されており、プロペラシャフト１２には、ディファレンシャルギヤ等を介してホイールが接続されている。
【００３０】
メインシャフト９とアウトプットシャフト２５の連結部には、メインシャフト９とアウトプットシャフト２５とを断続させるためのクラッチ機構２６が配設され、アウトプットシャフト２５には、可変速プーリ機構本体２７及び加圧シリンダ機構２８を備えた可変速プーリ機構２９が配置されている。
【００３１】
クラッチ機構２６の詳細は図２、図３に示されている。すなわち、メインシャフト９のトランスミッションハウジング３ａからアウトプットシャフト２５側へ突出した端部には、フランジ９ａが一体的に取付けられ、フランジ９ａには、アウトプットシャフト２５のメインシャフト９側端部近傍を包囲すると共にアウトプットシャフト２５が側板３０ａを軸線方向へ貫通するよう、断面形状が鍔付きハット状のクラッチカバー３０が横向き状態に取付けられている。
【００３２】
鍔付きハット状のクラッチカバー３０内には、アウトプットシャフト２５の外周に対し間隔を置いて遊嵌された、環状のプレッシャプレート３１が収納されており、プレッシャプレート３１とクラッチカバー３０の側板３０ａとの間には、プレッシャプレート３１をフランジ９ａ側へ付勢するよう、複数のプレッシャスプリング３２が設けられている。
【００３３】
フランジ９ａとプレッシャプレート３１との間には、アウトプットシャフト２５の外周に対し間隔を置いて、複数の環状のディスク３３が遊嵌されており、ディスク３３の軸線方向両端面には、図示してないがフェーシングが装着されている。ディスク３３の外径はプレッシャプレート３１の外径よりも小径に形成されている。又、アウトプットシャフト２５のスプライン部２５ａには、クラッチカバー３０内に位置するようボス３４が嵌合されており、ボス３４の外周とディスク３３にはメンブレン状のドライブプレート３５が接続されている。
【００３４】
フランジ９ａには、円周方向へ所定の間隔で複数のエア室３６が設けられており、エア室３６には摺動可能なプッシュピストン３７が嵌入されている。プッシュピストン３７はアウトプットシャフト２５と平行で、エア室３６から突出する先端は、ディスク３３の外周外側を経てプレッシャプレート３１のディスク３３側の面に当接されている。
【００３５】
フランジ９ａには、エア室３６に連通すると共に、径方向外方へ延在して外側部に開口するエア導入孔７０が穿設されている。又、フランジ９ａの外周には、フランジ９ａが回転しても回転しないようにしたエア導入リング３８が嵌合されており、エア導入リング３８の内周には、エア導入孔７０に連通するようにした環状のエア導入溝３８ａが形成されている。エア導入溝３８ａにはエア導入リング３８の外周に接続した管路３９からのエアＡを導入し得るようになっている。
【００３６】
トランスミッションハウジング３ａには、クラッチカバー３０やエア導入リング３８を包囲するようにした円筒状のハウジング３ｂが、アウトプットシャフト２５に対し略同心状に固設されている。ハウジング３ｂの端部はクラッチカバー３０の側板３０ａよりもトランスミッションハウジング３ａから離反する側に位置している。而して、アウトプットシャフト２５のスプライン部２５ａには、プーリ本体４０が外嵌されており、プーリ本体４０外周部のハウジング３ｂ側の面は、ハウジング３ｂの先端に配置したスラストワッシャ又はころ軸受等の支持手段４１により支持されるようになっている。
【００３７】
又、アウトプットシャフト２５のスプライン部２５ａには、プーリ本体４０よりもトランスミッションハウジング３ａから離反する側に位置してプーリ本体４０と対向配置されると共に軸線方向へ摺動し得るよう、プーリ本体４２が外嵌されている。
【００３８】
プーリ本体４０，４２により一個のプーリ４３が形成され、プーリ本体４０，４２外周側の対向部は断面形状が、略Ｖ形状に形成されるようになっている。而して、プーリ本体４０，４２により形成されるプーリ４３の断面Ｖ形状の溝及び前記プーリ２０の断面Ｖ形状の溝には無端状のＶベルト４４が掛け渡されている。
【００３９】
プーリ本体４０，４２の軸心側には、プーリ本体４０，４２と同心状に凹孔４０ａ，４２ａが互に対向するよう穿設され、凹孔４０ａ，４２ａには、アウトプットシャフト２５に巻装されたリターンスプリング４５が収納されて、弾撥力によりプーリ本体４０，４２間のＶ形状の溝の間隔Ｗが広がる側へ、プーリ本体４２を付勢し得るようになっている。而して、プーリ本体４０，４２、リターンスプリング４５により、可変速プーリ機構本体２７が形成されている。
【００４０】
可変速プーリ機構本体２７を基準として、クラッチ機構２６の反対側には、加圧シリンダ機構２８のシリンダケーシング４６が、ハウジング４７に固設されるよう設置されており、可変速プーリ機構本体２７と加圧シリンダ機構２８により可変速プーリ機構２９が形成されている。而して、シリンダケーシング４６の中心部には、アウトプットシャフト２５が回転に支障なきよう貫通されている。
【００４１】
シリンダケーシング４６には、アウトプットシャフト２５の軸心を基準として、同心円上に位置するよう、複数のオイル室４８が穿設されており、オイル室４８には、摺動可能なプッシュピストン４９が嵌入されている。プッシュピストン４９はアウトプットシャフト２５と平行で、オイル室４８から突出する先端は、プーリ本体４２の背面に設けた凹部４２ｂに嵌入されてその底部に当接されている。
【００４２】
プーリ２０，４３に巻き掛けられたＶベルト４４の長手方向中途部には、図４に詳細に示すように、Ｖベルト４４に張力を付与するための張力付与装置５０が配設されている。すなわち、ブラケットに枢支したレバー５１には、プーリ２０，４３と平行になるよう、アイドラプーリ５２が枢支されており、エアシリンダ５３に前後進可能に嵌入されたピストン５４にはピストンロッド５５が接続され、ピストンロッド５５の先端はレバー５１の中間部に枢着されている。
【００４３】
而して、エアシリンダ５３のヘッド側に形成したエア室５３ａにはエアＡを導入することにより、ピストン５４を介してピストンロッド５５を突出する方向へ押圧し得るようになっており、エアシリンダ５３のロッド側に形成した室５３ｂには、ピストン５４を介してピストンロッド５５を後退する方向へ付勢するため、リタンスプリング５６が収納されている。
【００４４】
又、図１中、５７はシフトレバー、５８はクラッチペダル、５９はクラッチペダル５８の踏込み開始検出スイッチ、６０はクラッチペダル５８の踏込み完了検出スイッチ、６１はトランスミッション３におけるシフタスリーブのシフト位置検出スイッチ、６２はアウトプットシャフト２５の回転数から車速を検出するようにした車速センサ、６３は制御コンピュータである。
【００４５】
而して、シフトレバー５７からは切換え信号Ｖ１を、踏込み開始検出スイッチ５８からは踏込み開始信号Ｖ２を、踏込み完了検出スイッチ６０からは踏込み完了信号Ｖ３を、シフト位置検出スイッチ６１からはシフト位置信号Ｖ４，Ｖ５を、車速センサ６２からは車速信号Ｖ６を、夫々、制御コンピュータ６３に与え得るようになっている。
【００４６】
６４はエアタンク、６５はエアタンク６４からのエアＡを図２に示すクラッチ機構２６のエア室３６に送給する管路３９の中途部に設けられた電磁弁、６６はエアタンク６４からのエアＡを図４に示す張力付与装置５０のエアシリンダ５３におけるエア室５３ａに送給する管路６７の中途部に設けられた電磁弁である。
【００４７】
而して、制御コンピュータ６３からの指令信号Ｖ７により電磁弁６５が、指令信号Ｖ８により電磁弁６６が夫々切換えられるようになっている。又、制御コンピュータ６３からの指令信号Ｖ９によりオイルポンプ６８が駆動し得るようになっており、オイルポンプ６８からのオイルＯは管路６９から図２に示す加圧シリンダ機構２８のオイル室４８に導入し得るようになっている。
【００４８】
次に、上記した図示例の作動を説明する。
上記動力伝達構造においては、変速を行わない通常の車両走行時には、クラッチ機構２は連結されており、エンジン１の動力は、クランクシャフト４からクラッチ機構２を経てインプットシャフト６に伝達され、インプットシャフト６からシフトレバー５７の切換え位置に対応した変速段数における所定のギヤの組合わせにより、所定の動力伝達経路を経てメインシャフト９に伝達される。
【００４９】
又、エンジン１の動力はクランクシャフト４に取付けたギヤ２１、中間シャフト２２、ギヤ１９を経て常時サブシャフト１８を回転させ、サブシャフト１８の回転によりプーリ２０が回転させられている。
【００５０】
一方、オイルポンプ６８からは加圧シリンダ機構２８のオイル室４８にオイルＯが供給されていないため、オイル室４８内の圧力は低下している。このため、プーリ本体４２はリターンスプリング４５の弾撥力により押圧されてプーリ本体４０から離反している。
【００５１】
又、電磁弁６６はエアＡを張力付与装置５０におけるエアシリンダ５３のエア室５３ａに供給し得ないように切換わっており、エア室５３ａ内の圧力は低下している。このため、ピストン５４はリタンスプリング５６の弾撥力により押圧されてピストンロッド５５が後退している。従って、アイドラプーリ５２はＶベルト４４から離反しており、Ｖベルト４４には張力が付与されておらず、プーリ２０の回転によりＶベルト４４が連れ回ってもＶベルト４４からプーリ４３に動力が伝達されることはない。
【００５２】
更に、電磁弁６５はエアＡをクラッチ機構２６のエア室３６に供給し得ないよう切換わっており、エア室３６内の圧力は低下している。このため、プレッシャプレート３１はプレッシャスプリング３２の弾撥力により押圧されてディスク３３をメインシャフト９のフランジ９ａに押付けており、クラッチ機構２６は連結されている。従って、メインシャフト９に伝達された動力は、フランジ９ａ、ディスク３３、ドライブプレート３５、ボス３４からアウトプットシャフト２５に伝達されるようになっている。
【００５３】
このため、通常の車両の走行時には、上述したようにしてメインシャフト９に伝達された動力は、メインシャフト９からクラッチ機構２６を介してアウトプットシャフト２５に伝達され、アウトプットシャフト２５からカップリング１１、プロペラシャフト１２を経てホイールに伝達される。その結果、車両はギヤの変速段数に対応した速度で前進走行する。
【００５４】
なお、アウトプットシャフト２５の回転によりプーリ４３も回転するが、上述したようにＶベルト４４からプーリ４３へは動力が伝達されないようになっているため、プーリ４３が回転しても何等支障はない。
【００５５】
上記動力伝達構造において車両の前進走行中に１段階上或は下の速度に変速を行う場合には、クラッチペダル５８を踏込んで、シフトレバー５７を変速段数に対応した位置に切換える。このため、クラッチ機構２は離脱されてエンジン１のクランクシャフト４の動力はインプットシャフト６に伝達されないようになり、メインシャフト９の回転速度は低下する。又、クラッチ機構２が離脱されても、エンジン１の動力はクランクシャフト４から上述の径路でサブシャフト１８へは伝達されている。
【００５６】
又、シフトレバー５７の切換えにより、シフトレバー５７からの切換え信号Ｖ１、踏込み開始検出スイッチ５９により検出した踏込み開始信号Ｖ２、踏込み完了検出スイッチ６０により検出した踏込み完了信号Ｖ３、シフト位置検出スイッチ６１により検出したシフト位置信号Ｖ４，Ｖ５、車速センサ６２により検出した車速信号Ｖ６が、夫々、制御コンピュータ６３に与えられる。
【００５７】
又、制御コンピュータ６３からは指令信号Ｖ７，Ｖ８が電磁弁６５，６６に与えられて電磁弁６５，６６が切換えられると共に、指令信号Ｖ９がオイルポンプ６８に与えられてオイルポンプ６８が駆動される。このため、エアタンク６４からのエアＡは管路３９からエア導入溝３８ａ、エア導入孔７０を経てクラッチ機構２６のエア室３６に導入され、空気圧によりプッシュピストン３７が押出され、プレッシャプレート３１はプレッシャスプリング３２の弾撥力に打ち勝って、ディスク３３から離反する。従って、クラッチ機構２６は離脱されてメインシャフト９とアウトプットシャフト２５は切離された状態となる。
【００５８】
又、オイルポンプ６８からのオイルＯは管路６９から加圧シリンダ機構２８のオイル室４８に導入されて油圧によりプッシュピストン４９を突出させ、プーリ本体４２はリターンスプリング４５の弾撥力に打ち勝ってプーリ本体４０側に押圧される。このため、プーリ本体４０，４２の間隔Ｗが変更されてプーリ４３のベルト作動径は変速段数に対応した速比となるよう所定の直径に調整される。
【００５９】
更に、エアタンク６４のエアＡは管路６７からエアシリンダ５３のエア室５３ａに導入されてピストン５４をリタンスプリング５６の弾撥力に打ち勝って前進させるため、ピストンロッド５５が突出してレバー５１が回動し、アイドラプーリ５２がＶベルト４４に押付けられて、Ｖベルト４４には張力が付与される。従って、上述の径路でサブシャフト１８に伝達された動力は、Ｖベルト４４からプーリ４３を経てアウトプットシャフト２５に伝達され、アウトプットシャフト２５からカップリング１１、プロペラシャフト１２を経てホイールに伝達される。
【００６０】
従って、車両の変速時にクラッチ機構２が離脱されても、ホイールへの動力の伝達が中断せず、現車速が維持される結果、一時的に車速が低下することを防止することができる。このため、車両の変速を円滑に行うことができ、運転者は違和感を覚えることがなく、快適に運転を行うことができる。又、エンジン１以外のモータ等の駆動装置や遊星ギヤ機構が不要であるため、装置構造が簡単で、大型化せず、価格も安価である。
【００６１】
変速が完了すると、クラッチ機構２は完全に連結され、又、電磁弁６５が切換わることによりクラッチ機構２６のエア室３６にはエアＡは供給されなくなる。このため、プレッシャスプリング３２の弾撥力によりプレッシャプレート３１がディスク３３側に押圧されてディスク３３がプレッシャプレート３１とフランジ９ａとの間に強固に挟持されることにより、クラッチ機構２６が連結され、メインシャフト９とアウトプットシャフト２５が連結される。
【００６２】
又、オイルポンプ６８からのオイルＯは加圧シリンダ機構２８のオイル室４８に供給されなくなるため、可変速プーリ機構本体２７におけるリターンスプリング４５の弾撥力によりプーリ本体４２がプーリ本体４０から離反して、プーリ本体４０，４２間のＶ形状の溝の間隔Ｗが広がると共に、電磁弁６６が切換わることにより、張力付与装置５０におけるエアシリンダ５３のエア室５３ａにエアＡが供給されなくなって、リタンスプリング５６の弾撥力によりアイドラプーリ５２がＶベルト４４から離反する。このため、クランクシャフト４からギヤ２１、中間シャフト２２、ギヤ１９を経てサブシャフト１８に伝達されたエンジン１からの動力は、アウトプットシャフト２５には伝達されない。
【００６３】
従って、車両は通常の走行状態に戻り、エンジン１からの動力は、クランクシャフト４から、クラッチ機構２を経てインプットシャフト６へ伝達され、シフトレバーの切換え位置、すなわち、変速段数に対応した各ギヤの選択に伴う動力伝達径路でメインシャフト９、クラッチ機構２６を経てアウトプットシャフト２５に伝達され、アウトプットシャフト２５からカップリング１１、プロペラシャフト１２を介してホイールに伝達される。その結果、車両はギヤの変速段数に対応した速度で前進走行する。
【００６４】
なお、本発明の動力伝達構造は、上記した実施の形態に限定されるものではなく、本発明の要旨を逸脱しない範囲内において種々変更を加え得ることは勿論である。
【図面の簡単な説明】
【００６５】
【図１】エンジン及びクラッチ並びにトランスミッションにおける本発明の動力伝達構造の一例を示す模式図である。
【図２】図１のトランスミッション出力側に設けたクラッチ機構及び可変速プーリ機構並びに加圧シリンダ機構の部分の詳細断面図である。
【図３】図２のＩＩＩ−ＩＩＩ方向矢視図である。
【図４】図１のサブシャフトからアウトプットシャフトのプーリに動力を伝達するためのＶベルトに張力を付与するための張力付与装置の詳細断面図である。
【図５】従来のエンジン及びクラッチ並びにトランスミッションにおける動力伝達構造の例を示す模式図である。
【符号の説明】
【００６６】
１  エンジン（内燃機関）
２  クラッチ機構（断続手段）
３  トランスミッション（車両変速手段）
４  クランクシャフト（軸体）
６  インプットシャフト（軸体）
９  メインシャフト（軸体）
１８  サブシャフト（軸体）
１９  ギヤ（動力伝達手段）
２０  プーリ（可変速動力伝達手段）
２１  ギヤ（動力伝達手段）
２３  アイドラギヤ（動力伝達手段）
２５  アウトプットシャフト（軸体）
２６  クラッチ機構（断続手段）
２７  可変速プーリ機構本体（可変速動力伝達手段）
２９  可変速プーリ機構（可変速動力伝達手段）
４０  プーリ本体（可変速動力伝達手段）
４２  プーリ本体（可変速動力伝達手段）
４３  プーリ（可変速動力伝達手段）
４４  ベルト（可変速動力伝達手段）
５０  張力付与装置（張力付与手段）
【図１】
2005053344.tif 000003
【図２】
2005053344.tif 000004
【図３】
2005053344.tif 000005
【図４】
2005053344.tif 000006
【図５】
2005053344.tif 000007